(57)【要約】【課題】  結束した包装袋の脱落を効果的に防止することができる包装袋セットを提供する。【解決手段】  包装袋セット１００は、所定のずらし方向Ｄ１にずらして積層された３つ以上の包装袋１Ａ、１Ｂ、１Ｃと、内側面１２に接着面２１を有し、３つ以上の包装袋を結束する接着テープ２とを備え、３つ以上の包装袋は、中間層及び最下層の包装袋１Ｂ、１Ｃの表面１１の一部が正面側に露出するように積層され、接着テープ２は、正面視においてずらし方向Ｄ１に延びる第１部分２２を有し、第１部分２２の接着面２１が最上層、中間層及び最下層の包装袋１Ａ、１Ｂ、１Ｃの表面１１に接着されている。【選択図】      図１
0003226120.tif 000002
【実用新案登録請求の範囲】
【請求項１】
所定のずらし方向にずらして積層された３つ以上の包装袋と、
内側面に接着面を有し、前記３つ以上の包装袋を結束する接着テープとを備え、
前記３つ以上の包装袋は、中間層及び最下層の前記包装袋の表面の一部が正面側に露出するように積層され、
前記接着テープは、正面視において前記ずらし方向に延びる第１部分を有し、前記第１部分の前記接着面が最上層、中間層及び最下層の前記包装袋の前記表面に接着されている、包装袋セット。
【請求項２】
前記接着テープは、背面視において前記ずらし方向に延びる第２部分を有し、前記第２部分の前記接着面が最上層、中間層及び最下層の前記包装袋の裏面に接着されている、請求項１に記載の包装袋セット。
【請求項３】
前記包装袋は、被包装物と共に不活性ガスを詰め込んで膨らませて密閉した袋体であり、前記包装袋の積層方向に延びる側面を有し、
前記第１部分の前記接着面は、最上層、中間層及び最下層の前記包装袋のそれぞれの前記接着面が接着された前記包装袋の前記表面に連なる前記側面に更に接着されている、請求項１又は２に記載の包装袋セット。
【請求項４】
前記ずらし方向は左右方向である、請求項１乃至３の何れか１項に記載の包装袋セット。
【請求項５】
前記３つ以上の包装袋は、互いに同一形状に形成され、前記包装袋の積層方向及び前記ずらし方向と直交する方向において互いに同じ位置に位置している、請求項１乃至４の何れか１項に記載の包装袋セット。
【請求項６】
前記接着テープの一端及び他端は、最下層の前記包装袋の裏面に接着されている、請求項１乃至５の何れか１項に記載の包装袋セット。
【考案の詳細な説明】
【技術分野】
【０００１】
本考案は、包装袋セットに関する。
【背景技術】
【０００２】
従来から複数の包装体を積み重ねて一纏めとした集合包装体が知られている（例えば特許文献１参照）。
【０００３】
この集合包装体は、複数の包装体をずらして積み重ねた物品群を把束テープでバンド掛け止めし、ディスプレイ効果の向上を図っている。
【先行技術文献】
【特許文献】
【０００４】
【特許文献１】実開平５―６６３号公報
【考案の概要】
【考案が解決しようとする課題】
【０００５】
しかし、特許文献１に記載の集合包装体は、中間層の包装体が脱落しやすいという問題があった。
【課題を解決するための手段】
【０００６】
上記課題を解決するため、本考案のある態様に係る包装袋セットは、所定のずらし方向にずらして積層された３つ以上の包装袋と、内側面に接着面を有し、前記３つ以上の包装袋を結束する接着テープとを備え、前記３つ以上の包装袋は、中間層及び最下層の前記包装袋の表面の一部が正面側に露出するように積層され、前記接着テープは、正面視において前記ずらし方向に延びる第１部分を有し、前記第１部分の前記接着面が最上層、中間層及び最下層の前記包装袋の前記表面に接着されている。
【０００７】
この構成によれば、中間層の包装袋の脱落を効果的に防止することができる。また、需要者は、包装袋セットを構成する包装袋の数を容易に認識することができる。更に、包装袋セットに立体感を持たせることができ、見栄えを向上させることができる。
【考案の効果】
【０００８】
本考案は、中間層の包装袋の脱落を効果的に防止することができるという効果を奏する。
【図面の簡単な説明】
【０００９】
【図１】本考案の実施の形態に係る包装袋セット１００の構成例を示す正面図である。
【図２】図１の包装袋セット１００の構成例を示す背面図である。
【図３】図１の包装袋セット１００の構成例を示す図であり、右斜め前から見た図である。
【考案を実施するための形態】
【００１０】
以下、本考案の実施の形態について、図面を参照しながら説明する。なお、本実施の形態によって本考案が限定されるものではない。また、以下では、全ての図を通じて、同一又は相当する要素には同一の参照符号を付して、その重複する説明を省略する。
【００１１】
図１は、本考案の実施の形態に係る包装袋セット１００の構成例を示す正面図である。図２は、包装袋セット１００の構成例を示す背面図である。図３は、包装袋セット１００の構成例を示す図であり、右斜め前から見た図である。
【００１２】
図１〜３に示すように、包装袋セット１００は、３つ以上の包装袋を束ねた包装袋の集合体である。包装袋は、被包装物Ｃを包装する包装用の袋体である。被包装物Ｃは、例えば食品であり、具体的にはソーセージである。
【００１３】
包装袋セット１００は、３つ以上の包装袋と、３つ以上の包装袋を結束する接着テープ２とを備える。図１〜３では、３つの包装袋１Ａ、１Ｂ、１Ｃを積層した形態を例示している。包装袋１Ａが最上層に位置する包装袋であり、包装袋１Ｂが中間層に位置する包装袋であり、包装袋１Ｃが最下層に位置する包装袋である。なお、包装袋セット１００が４つ以上の包装袋を含むときは、包装袋セット１００が中間層の包装袋１Ｂを複数含む。３つの包装袋１Ａ、１Ｂ、１Ｃは、互いに同一形状に形成されている。包装袋セット１００は、陳列棚に包装袋１Ａの表面１１が正面を向くように立てて陳列することができる。
【００１４】
各包装袋は、例えば、合成樹脂製のフィルム材料を用いて形成されている。具体的には、フィルムの裏面同士が触れ合うように、フィルムの左右の端部をそれぞれ折り返して重ね合わせ、この重ね合わせた部分を溶着し、接合する。この溶着された部分が舌部１４を構成している。そして、フィルムの左右の端部が溶着されることによって、包装袋は、上下方向に延在する筒状に形成される。なお、上下左右は、包装袋の後述する表面１１に印刷される文字や模様の方向に基づいて規定されてもよい。
【００１５】
次に、この筒状に形成されたフィルムを扁平にして、フィルムの上端部と下端部を閉鎖するように溶着し、接合する。この溶着された部分が上下一対の耳部１５である。なお、上述の通り、本実施の形態において、舌部１４及び耳部１５は、フィルムを溶着することにより形成しているが、これに限られるものではない。これに代えて、例えば、舌部１４及び耳部１５は、接着剤を用いて接着して形成してもよい。
【００１６】
したがって、扁平に形成された包装袋の正面側の一方の面が表面１１を構成し、背面側の舌部１４が位置する他方の面が裏面１３を構成する。表面１１及び裏面１３には、被包装物Ｃに関係する模様や文字が印刷されていてもよい。
【００１７】
被包装物Ｃは、フィルムの上端部及び下端部を溶着するよりも前に内部に詰め込まれる。そして、包装袋は、フィルムの上端部と下端部を溶着するとき、被包装物Ｃと共に不活性ガスを詰め込んで膨らませて密閉される。したがって、包装袋は、全体として扁平な四角形に形成されているが、袋の膨らみによって、包装袋１Ａ、１Ｂ、１Ｃの上下方向中間部には、概ね厚み方向（積層方向Ｄ２）に延びる側面１２が形成されている。側面１２は、表面１１と裏面１３との間の折り目を跨ぐ領域に形成され、平袋である包装袋においては、細い帯状の狭い領域に形成される領域である。
【００１８】
そして、図１に示すように、３つの包装袋１Ａ、１Ｂ、１Ｃは、所定のずらし方向Ｄ１にずらして積層されている。これによって、中間層及び最下層の包装袋１Ｂ、１Ｃの表面１１の一部が正面側に露出するように積層される。また、これによって、図２に示すように、中間層及び最上層の包装袋１Ｂ、１Ａの裏面１３の一部が背面側に露出する。ずらし方向Ｄ１は、例えば、左右方向であるが、これに限られるものではない。また、３つの包装袋１Ａ、１Ｂ、１Ｃを積層する方向が積層方向Ｄ２であり、ずらし方向Ｄ１と直交する方向である。更に、積層方向Ｄ２及びずらし方向Ｄ１と直交する方向である位置合せ方向Ｄ３において、３つ以上の包装袋は、互いに同じ位置に位置している。これによって、３つの包装袋１Ａ、１Ｂ、１Ｃの下端は位置合せ方向Ｄ３における位置が揃えられ、包装袋セット１００の見栄えを向上させることができる。また、包装袋セット１００を自立させることができ、陳列棚に陳列したときの見栄えを向上させることができる。
【００１９】
接着テープ２は、内側面に接着面２１を有する帯状のテープであり、３つの包装袋１Ａ、１Ｂ、１Ｃを結束する。外側面には、被包装物Ｃに関係する模様や文字が印刷されていてもよい。接着テープ２は、包装袋セット１００の上下方向（位置合せ方向Ｄ３）において略中央部に貼着されている。
【００２０】
図２に示すように、接着テープ２の一端２ａは、最下層の包装袋１Ｃの裏面１３のずらし方向Ｄ１における中央部に接着され、一端２ａから延びる部分は、概ねずらし方向Ｄ１における一方側に向かって延び、裏面１３に接着されている。そして、この包装袋１Ｃの裏面１３に接着された部分から延びる部分は、包装袋１Ｃの裏面１３の一方側の側端においてずらし方向Ｄ１成分及び積層方向Ｄ２成分を含む斜め前方向に向きを変えて包装袋１Ｃの一方の側面１２に接着されている。そして、この包装袋１Ｃの一方の側面１２に接着された部分から延びる部分は、中間層の包装袋１Ｂの背面側に露出している裏面１３及び一方の側面１２に接着され、更に最上層の包装袋１Ａの背面側に露出している裏面１３及び一方の側面１２に接着されている。包装袋１Ｃの裏面１３から包装袋１Ａの一方の側面１２に接着されている部分が第２部分２３である。第２部分２３は、上述の通り、ずらし方向Ｄ１成分を含む方向に延びており、背面視においてずらし方向Ｄ１に延びる。また、第２部分２３は、上述の通り、接着面２１が最上層、中間層及び最下層の包装袋１Ａ、１Ｂ、１Ｃの裏面１３及びこの裏面１３に連なる一方の側面１２に接着されている。
【００２１】
そして、図１に示すように、包装袋１Ａの一方の側面１２に接着された部分から延びる部分は、包装袋１Ａの一方の側面１２において向きを変えてずらし方向Ｄ１における他方側に向かって延び、包装袋１Ａの表面１１に接着されている。そして、この包装袋１Ａの表面１１に接着された部分から延びる部分は、包装袋１Ａの表面１１の他方側の側端においてずらし方向Ｄ１成分及び積層方向Ｄ２成分を含む斜め後ろ方向に向きを変えて包装袋１Ａの他方の側面１２に接着されている。そして、この包装袋１Ａの他方の側面１２に接着された部分から延びる部分は、中間層の包装袋１Ｂの正面側に露出している表面１１及び他方の側面１２に接着され、更に最下層の包装袋１Ｃの正面側に露出している表面１１及び他方の側面１２に接着されている。包装袋１Ａの表面１１から包装袋１Ｃの他方の側面１２に接着されている部分が第１部分２２である。第１部分２２は、上述の通り、ずらし方向Ｄ１成分を含む方向に延びており、正面視においてずらし方向Ｄ１に延びる。また、第１部分２２は、上述の通り、接着面２１が最上層、中間層及び最下層の包装袋１Ａ、１Ｂ、１Ｃの表面１１及びこの表面１１に連なる他方の側面１２に接着されている。
【００２２】
このように、接着テープ２と中間層の包装袋１Ｂとの接着面積を拡大することができ、中間層の包装袋１Ｂの脱落を防止することができる。また、接着テープ２は、３つの包装袋１Ａ、１Ｂ、１Ｃを第１部分２２と第２部分２３の２か所で束ねているので、３つの包装袋１Ａ、１Ｂ、１Ｃの姿勢を固定することができ、姿勢の乱れを防止することができる。
【００２３】
そして、図２に示すように、この包装袋１Ｃの他方の側面１２に接着された部分から延びる部分は、包装袋１Ｃの他方の側面１２において向きを変えてずらし方向Ｄ１における一方側に向かって延び、裏面１３に接着されている。そして、接着テープ２の他端２ｂは、最下層の包装袋１Ｃの裏面１３のずらし方向Ｄ１における中央部に接着されている。このように、接着テープ２の一端２ａ及び他端２ｂは、背面側に位置するので、接着テープ２の仕舞いが乱れていても、見栄えが低下することを防止することができる。他端２ｂは一端２ａの上面に重ねて貼着されてもよい。これによって、一端２ａの剥がれを防止することができる。
【００２４】
このように接着テープ２は、積層された３つの包装袋１Ａ、１Ｂ、１Ｃを周回するように巻き回されて貼着されている。これによって、接着テープ２は、３つの包装袋１Ａ、１Ｂ、１Ｃを結束している。そして、正面視において、３つの包装袋１Ａ、１Ｂ、１Ｃが全て見えるので、包装袋セット１００を構成する包装袋の数を容易に認識することができる。また、包装袋セット１００の立体感を増大することができ、包装袋セット１００の見栄えを向上させることができる。
【００２５】
以上に説明したように、包装袋セット１００は、所定のずらし方向Ｄ１にずらして積層された３つ以上の包装袋と、内側面に接着面２１を有し、３つ以上の包装袋を結束する接着テープ２とを備え、３つ以上の包装袋は、中間層及び最下層の包装袋１Ｂ、１Ｃの表面１１の一部が正面側に露出するように積層され、接着テープ２は、正面視においてずらし方向Ｄ１に延びる第１部分２２を有し、第１部分２２の接着面２１が最上層、中間層及び最下層の包装袋１Ａ、１Ｂ、１Ｃの表面１１に接着されている。これによって、中間層の包装袋１Ｃの脱落を効果的に防止することができる。また、需要者は、包装袋セット１００を構成する包装袋の数を容易に認識することができる。更に、包装袋セット１００に立体感を持たせることができ、見栄えを向上させることができる。
【００２６】
接着テープ２は、背面視においてずらし方向Ｄ１に延びる第２部分２３を有し、第２部分２３の接着面２１が最上層、中間層及び最下層の包装袋１Ｂ、１Ｃの裏面１３に接着されていてもよい。これによって、包装袋の姿勢を固定することができ、また、中間層の包装袋１Ｂの脱落を更に効果的に防止することができる。
【００２７】
包装袋は、被包装物Ｃと共に不活性ガスを詰め込んで膨らませて密閉した袋体であり、包装袋の積層方向Ｄ２に延びる側面１２を有し、第１部分２２の接着面２１は、最上層、中間層及び最下層の包装袋のそれぞれの接着面２１が接着された包装袋の表面１１に連なる側面１２に更に接着されていてもよい。これによって、中間層の包装袋１Ｂの脱落を更に効果的に防止することができる。
【００２８】
ずらし方向Ｄ１は左右方向であってもよい。これによって、需要者は、包装袋セット１００を構成する包装袋の数を更に容易に認識することができる。
【００２９】
３つ以上の包装袋は、互いに同一形状に形成され、包装袋の積層方向Ｄ２及びずらし方向Ｄ１と直交する方向において互いに同じ位置に位置していてもよい。これによって、包装袋を整然と並べた状態で結束することができ、見栄えを向上させることができる。また、包装袋セット１００の自立性を高めることができる。
【００３０】
接着テープ２の一端２ａ及び他端２ｂは、最下層の包装袋１Ｃの裏面１３に接着されていてもよい。これによって、接着テープ２の仕舞いが乱れていても、見栄えが低下することを防止することができる。
【００３１】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【符号の説明】
【００３２】
Ｄ１  ずらし方向
Ｄ２  積層方向
１Ａ  最上層の包装袋
１Ｂ  中間層の包装袋
１Ｃ  最下層の包装袋
２  接着テープ
１１  表面
１２  側面
１３  裏面
２１  接着面
２２  第１部分
１００  包装袋セット
【図１】
0003226120.tif 000003
【図２】
0003226120.tif 000004
【図３】
0003226120.tif 000005